【誤訳訂正書】
【提出日】平成25年12月13日(2013.12.13)
【誤訳訂正１】
【訂正対象書類名】特許請求の範囲
【訂正対象項目名】請求項１
【訂正方法】変更
【訂正の内容】
【請求項１】
（ａ）エチレン性不飽和の、重合可能なモノマー又はオリゴマー及び
（ｂ）式
【化１】
2012522085.tif 000001
［式中、
Ｑは、直接結合又は二価の基−（ＣＲ8Ｒ9）−であり、
Ｚ1は、−Ｏ−、−ＮＲ10−、−ＣＨ2−、−（ＣＲ11Ｒ12）−又は−Ｃ（＝Ｏ）−、有利には−（ＣＲ11Ｒ12）−であり、
Ｒ1及びＲ2は、それぞれ他から独立して、Ｃ1〜Ｃ6ＡLKイルであり、又はＲ1及びＲ2は、共にＣ4〜Ｃ7ＡLKイレンであり、従って、Ｒ1及びＲ2が結合されているＣ原子と共に有利には５−、６−、７−又は８−員環の環状基を形成し、
Ｒ3及びＲ4は、それぞれ他から独立して、Ｃ1〜Ｃ6ＡLKイルであり、又はＲ3及びＲ4は、共にＣ4〜Ｃ7ＡLKイレンであり、従って、Ｒ3及びＲ4が結合されているＣ原子と共に有利には５−、６−、７−又は８−員環の環状基を形成し、
Ｒ5及びＲ6は、それぞれ他から独立して、Ｈ、Ｃ1〜Ｃ6ＡLKイル、Ｃ6〜Ｃ10アリール又はＣ7〜Ｃ12アルＡLKイルであり、又はＲ5及びＲ6は、共に酸素であり、従って、Ｒ5及びＲ6が結合されているＣ原子と共にカルボニル基を形成し、
Ｒ7は、Ｃ6〜Ｃ24アリール、Ｃ7〜Ｃ24アルＡLKイル、Ｃ1〜Ｃ24ヘテロアリール又はＣ2〜Ｃ24ヘテロアルＡLKイルであり、
Ｒ8及びＲ9は、それぞれ他から独立して、Ｈ又はＣ1〜Ｃ6ＡLKイルであり、
Ｒ10は、水素、Ｃ1〜Ｃ6ＡLKイル、Ｃ6〜Ｃ10アリール又は−Ｏ−Ｃ（＝Ｏ）−Ｒ13であり、
Ｒ11は、水素又はＣ1〜Ｃ6ＡLKイルであり、
Ｒ12は、Ｒ14、Ｃ（＝Ｏ）−Ｒ14、ＣＮ、ＯＨ、ＯＲ14、ＮＨ2、ＮＨＲ14、ＮＲ14Ｒ15、Ｏ−Ｃ（＝Ｏ）−Ｒ16、ＮＨ−Ｃ（＝Ｏ）−Ｒ16又はＮＲ14−Ｃ（＝Ｏ）−Ｒ16、有利にはＯＨ、ＯＲ14、ＮＨ2、ＮＨＲ14、ＮＲ14Ｒ15、Ｏ−Ｃ（＝Ｏ）−Ｒ16、ＮＨ−Ｃ（＝Ｏ）−Ｒ16又はＮＲ14−Ｃ（＝Ｏ）−Ｒ16であり、
又は、Ｒ11及びＲ12は、共に、中断されていないか、又は−Ｏ−及び／又は−ＮＲ17−によって１回もしくは２回中断されているＣ2〜Ｃ20ＡLKイレンであり、従って、Ｒ11及びＲ12が結合されているＣ原子と共に有利には５−又は６−員環を形成し、そのＣ2〜Ｃ20ＡLKイレンは場合によりベンゾ又はナフトと縮合されていてよく、かつそのＣ2〜Ｃ20ＡLKイレンは、さらに、非置換、又は１もしくは２の、同一もしくは異なる基−ＯＨ又は−Ｏ−Ｃ（＝Ｏ）−Ｒ13で置換されており、
Ｒ13は、Ｈ、Ｒ18、ＯＲ18、ＮＲ18Ｒ19、ＣＯＯＲ20、Ｒ21−ＣＯＯＲ20又はＲ22（−ＣＯＯＲ20）−ＣＯＯＲ23であり、
Ｒ14及びＲ15は、それぞれ他から独立して、Ｃ1〜Ｃ6ＡLKイル、Ｃ7〜Ｃ12アルＡLKイル又はＣ6〜Ｃ10アリールであり、
又は、Ｒ14及びＲ15は、共に、中断されていないか、又は−Ｏ−及び／又は−ＮＲ17−によって１回もしくは２回中断されているＣ2〜Ｃ6ＡLKイレンであり、従って、Ｒ14及びＲ15が結合しているＮ原子と共に有利には５−又は６−員環を形成し、
Ｒ16は、Ｈ、Ｒ18、ＯＲ18、ＮＲ18Ｒ19、ＣＯＯＲ20、Ｒ21−ＣＯＯＲ20又はＲ22（−ＣＯＯＲ20）−ＣＯＯＲ23であり、
Ｒ17はＨ又はＣ1〜Ｃ6ＡLKイルであり、
Ｒ18及びＲ19は、それぞれ他から独立して、Ｃ1〜Ｃ36ＡLKイル、Ｃ2〜Ｃ54ＡLKエニル、Ｃ2〜Ｃ24ＡLKイニル、Ｃ6〜Ｃ10アリール、Ｃ7〜Ｃ46アルＡLKイル又はＣ2〜Ｃ36ＡLKエニレン−Ｃ6〜Ｃ10アリールであり、
又は、Ｒ18及びＲ19は、共に、中断されていないか、又は−Ｏ−及び／又は−ＮＲ17−によって１回もしくは２回中断しているＣ2〜Ｃ36ＡLKイレン又はＣ2〜Ｃ54ＡLKエニレンであり、従って、Ｒ18及びＲ19が結合しているＮ原子と共に有利には５−又は６−員環を形成し、
Ｒ21は、Ｃ1〜Ｃ12ＡLKイレン、Ｃ2〜Ｃ12ＡLKエニレン、Ｃ2〜Ｃ12ＡLKイニレン、Ｃ6〜Ｃ10アリーレン、Ｃ7〜Ｃ18アルＡLKイレン又はＣ2〜Ｃ18ＡLKエニレン−Ｃ6〜Ｃ10アリーレンであり、
Ｒ22は、Ｃ1〜Ｃ12ＡLKアントリイル、Ｃ2〜Ｃ12ＡLKエントリイル、Ｃ3〜Ｃ12ＡLKイントリイル、ベンゾトリイル、ナフトトリイル、Ｃ7〜Ｃ18ベンゾＡLKアントリイル、Ｃ11〜Ｃ22ナフトＡLKアントリイル、Ｃ2〜Ｃ12ＡLKアントリイル−Ｃ6〜Ｃ10アリーレン、Ｃ2〜Ｃ12ＡLKエニレン−ベンゾトリイル、Ｃ2〜Ｃ12ＡLKエニレン−ナフトトリイル又はＣ2〜Ｃ12ＡLKエントリイル−Ｃ6〜Ｃ10アリーレンであり、
それぞれＲ20又はＲ23は、あらゆる他のＲ1、Ｒ2、Ｒ3、Ｒ4、Ｒ5、Ｒ6、Ｒ7、Ｒ11、Ｒ18、Ｒ19、Ｒ20又はＲ23から独立して、Ｈ、Ｒ18、ＯＲ18、ＮＲ18Ｒ19、ＣＯＯＲ20、Ｒ21−ＣＯＯＲ20、Ｒ22（−ＣＯＯＲ20）−ＣＯＯＲ23又は
【化２】
2012522085.tif 000002
であり、
ＡLKは、直鎖の炭化水素基又は１回もしくは複数回枝分かれした炭化水素基、及び／又は単環式炭化水素基もしくはスピロ基を含む多環式炭化水素基であり、その炭化水素基において、１つ以上の−ＣＨ2−基は、−Ｓ−又は−ＮＨ−によって置き換えられてよく、１つ以上の
【化３】
2012522085.tif 000003
基は、
【化４】
2012522085.tif 000004
によって置き換えられてよく、かつ／又は１つ以上の隣接していない−ＣＨ2−基は−Ｏ−によって置き換えられてよく、
Ｒ1、Ｒ2、Ｒ3、Ｒ4、Ｒ5、Ｒ6、Ｒ7、Ｒ8、Ｒ9、Ｒ10、Ｒ11、Ｒ14、Ｒ15、Ｒ17、Ｒ18、Ｒ19、Ｒ21及びＲ22におけるそれぞれの炭化水素基ＡLKは、全て他から独立して、非置換又はＢｒ、Ｃｌ、Ｆ、Ｉ、ＮＯ2、ＯＲ24、ＳＲ24、ＳＣＮ、ＣＮ、Ｎ（Ｒ24）Ｒ25、Ｎ（Ｒ24）−Ｃ（＝Ｏ）−Ｒ25、Ｎ（Ｒ24）−ＣＯＯＲ25、Ｎ（ＣＯＲ24）ＣＯＲ25、ＣＯＯＲ24、
【化５】
2012522085.tif 000005
ＣＯＲ24、Ｏ−Ｃ（＝Ｏ）Ｒ24、Ｃ（＝Ｏ）ＮＲ24Ｒ25、Ｏ−Ｃ（＝Ｏ）ＮＲ24Ｒ25、ＳＯ3Ｈ、
【化６】
2012522085.tif 000006
ＳＯ2ＮＲ24Ｒ25、Ｓ（＝Ｏ）Ｒ24、ＳＯ2Ｒ24及びＰ（＝Ｏ）（ＯＲ24）ＯＲ25からなる群から選択される１つ以上の同一又は異なる置換基によって置換されており、
Ｒ24及びＲ25は、それぞれあらゆる他から独立して、Ｈ、Ｃ1〜Ｃ18アルキル、Ｃ7〜Ｃ18アラルキル、Ｃ6〜Ｃ24アリール又はＣ1〜Ｃ24ヘテロアリールであり、
又は、Ｒ24及びＲ25は、それぞれあらゆる他から独立して、Ｈ、Ｃ1〜Ｃ18アルキル、Ｃ7〜Ｃ18アラルキル、Ｃ6〜Ｃ24アリール又はＣ1〜Ｃ24ヘテロアリールであり、かつＲ24及びＲ25は、さらに、直接結合によって共に結合され、又はＯ、Ｓ、ＮＨ、Ｎ−Ｃ1〜Ｃ18アルキル、Ｎ−Ｃ7〜Ｃ18アラルキル、Ｎ−Ｃ6〜Ｃ24アリール又はＮ−Ｃ1〜Ｃ24ヘテロアリール架橋を介して架橋され、
Ｍm+は、有機又は無機カチオンであり、
ｍは、１、２、３又は４であり、かつｎは１、２、３又は４、有利には１又は２である］である化合物の、有効な、熱又は化学線による遊離基を生じる量
を有する組成物。
【誤訳訂正２】
【訂正対象書類名】特許請求の範囲
【訂正対象項目名】請求項２
【訂正方法】変更
【訂正の内容】
【請求項２】
前記有効な、熱又は化学線による遊離基を生じる量が、０．０１〜３０個、有利には０．０５〜１０個、特に有利には０．１〜１．０個のトリアゼン官能基Ｎ−Ｎ＝Ｎ−Ｒ7が、重合可能なモノマー又はオリゴマー（ａ）のエチレン性不飽和官能基Ｃ＝Ｃ１００個毎に、前記式（Ｉ）の化合物中に存在するような量である、請求項１に記載の組成物。
【誤訳訂正３】
【訂正対象書類名】特許請求の範囲
【訂正対象項目名】請求項４
【訂正方法】変更
【訂正の内容】
【請求項４】
式
【化８】
2012522085.tif 000007
［式中、
Ｒ1、Ｒ2、Ｒ3及びＲ4は、それぞれ他から独立して、Ｃ1〜Ｃ4ＡLKイルであり、
Ｒ6及びＲ11は、それぞれ他から独立して、Ｈ又はＣ1〜Ｃ4ＡLKイルであり、
Ｒ7は、Ｃ6〜Ｃ14アリール又はＣ1〜Ｃ12ヘテロアリールであり、
Ｒ16は、Ｈ、Ｒ18、ＯＲ18、ＮＲ18Ｒ19、Ｒ21−ＣＯＯＲ20、Ｒ21−ＣＯＮ（Ｒ20）Ｒ27、Ｒ22（−ＣＯＯＲ20）−ＣＯＯＲ23又はＲ22（−ＣＯＮ（Ｒ20）Ｒ27）−ＣＯＮ（Ｒ23）Ｒ28であり、
Ｒ18及びＲ19は、それぞれ他から独立して、Ｃ1〜Ｃ36ＡLKイル、Ｃ2〜Ｃ54ＡLKエニル、Ｃ6〜Ｃ14アリール、Ｃ7〜Ｃ46アルＡLKイル又はＣ2〜Ｃ36ＡLKエニレン−Ｃ6〜Ｃ10アリールであり、もしくはＲ18及びＲ19は、共に、中断されていないか、又は−Ｏ−、−ＮＨ−及び／もしくは−Ｎ（Ｃ1〜Ｃ4ＡLKイル）−によって１回又は２回中断されているＣ2〜Ｃ36ＡLKイレン又はＣ2〜Ｃ54ＡLKエニレンであり、従ってＲ18及びＲ19が結合されているＮ原子と共に有利には５員環又は６員環を形成し、
それぞれＲ20又はＲ23は、Ｈ、Ｒ18、ＯＲ18、ＮＲ18Ｒ19、ＣＯＯＲ20、Ｒ21−ＣＯＯＲ20、Ｒ22（−ＣＯＯＲ20）−ＣＯＯＲ23又は
【化９】
2012522085.tif 000008
を表し、
Ｒ21は、Ｃ1〜Ｃ12ＡLKイレン、Ｃ2〜Ｃ12ＡLKエニレン、Ｃ6〜Ｃ10アリーレン又はＣ2〜Ｃ12ＡLKエニレン−Ｃ6〜Ｃ10アリーレンであり、
Ｒ22は、Ｃ1〜Ｃ12ＡLKアントリイル、Ｃ2〜Ｃ12ＡLKエントリイル、ベンゾトリイル、Ｃ7〜Ｃ18ベンゾＡLKアントリイル、Ｃ2〜Ｃ12ＡLKアントリイル−Ｃ6〜Ｃ10アリーレン、Ｃ2〜Ｃ12ＡLKエニレン−ベンゾトリイル又はＣ2〜Ｃ12ＡLKエントリイル−Ｃ6〜Ｃ10アリーレンであり、
Ｒ26は、Ｏ、ＮＨ又はＮ（Ｃ1〜Ｃ4ＡLKイル）であり、
Ｒ27及びＲ28は、それぞれ他から独立して、Ｈ、Ｃ1〜Ｃ24アルキル、Ｃ7〜Ｃ24アラルキル、Ｃ6〜Ｃ24アリール又はＣ1〜Ｃ24ヘテロアリールであり、
ｎは１又は２であり、並びに
ＡLKは、請求項３に記載の非置換の又は置換された炭化水素基である］の、請求項３に記載の化合物。
【誤訳訂正４】
【訂正対象書類名】特許請求の範囲
【訂正対象項目名】請求項１２
【訂正方法】変更
【訂正の内容】
【請求項１２】
ポリオレフィン、有利にはポリプロピレン、プロピレンコポリマー又はポリプロピレンブレンドの制御された分解の方法であって、請求項３、４、５、６又は７に記載の化合物を、該ポリオレフィンの分子量を低くするために使用し、かつ該化合物を該ポリオレフィン中に０．００１〜５．０質量％の濃度で適切に取り込む、方法。
【誤訳訂正５】
【訂正対象書類名】明細書
【訂正対象項目名】００１１
【訂正方法】変更
【訂正の内容】
【００１１】
本発明の有効な遊離基の重合は、式
【化２】
2012522085.tif 000009
［式中、
Ｑは、直接結合又は二価の基−（ＣＲ8Ｒ9）−であり、
Ｚ1は、−Ｏ−、−ＮＲ10−、−ＣＨ2−、−（ＣＲ11Ｒ12）−又は−Ｃ（＝Ｏ）−、有利には−（ＣＲ11Ｒ12）−であり、
Ｒ1及びＲ2は、それぞれ他から独立して、Ｃ1〜Ｃ6ＡLKイルであり、又はＲ1及びＲ2は、共にＣ4〜Ｃ7ＡLKイレンであり、従って、Ｒ1及びＲ2が結合されているＣ原子と共に有利には５−、６−、７−又は８−員環の環状基を形成し、
Ｒ3及びＲ4は、それぞれ他から独立して、Ｃ1〜Ｃ6ＡLKイルであり、又はＲ3及びＲ4は、共にＣ4〜Ｃ7ＡLKイレンであり、従って、Ｒ3及びＲ4が結合されているＣ原子と共に有利には５−、６−、７−又は８−員環の環状基を形成し、
Ｒ5及びＲ6は、それぞれ他から独立して、Ｈ、Ｃ1〜Ｃ6ＡLKイル、Ｃ6〜Ｃ10アリール又はＣ7〜Ｃ12アルＡLKイルであり、又はＲ5及びＲ6は、共に酸素であり、従ってＲ5及びＲ6が結合されているＣ原子と共にカルボニル基を形成し、
Ｒ7は、Ｃ6〜Ｃ24アリール、Ｃ7〜Ｃ24アルＡLKイル、Ｃ1〜Ｃ24ヘテロアリール又はＣ2〜Ｃ24ヘテロアルＡLKイルであり、
Ｒ8及びＲ9は、それぞれ他から独立して、Ｈ又はＣ1〜Ｃ6ＡLKイルであり、
Ｒ10は、水素、Ｃ1〜Ｃ6ＡLKイル、Ｃ6〜Ｃ10アリール又は−Ｏ−Ｃ（＝Ｏ）−Ｒ13であり、
Ｒ11は、水素又はＣ1〜Ｃ6ＡLKイルであり、
Ｒ12は、Ｒ14、Ｃ（＝Ｏ）−Ｒ14、ＣＮ、ＯＨ、ＯＲ14、ＮＨ2、ＮＨＲ14、ＮＲ14Ｒ15、Ｏ−Ｃ（＝Ｏ）−Ｒ16、ＮＨ−Ｃ（＝Ｏ）−Ｒ16又はＮＲ14−Ｃ（＝Ｏ）−Ｒ16、有利にはＯＨ、ＯＲ14、ＮＨ2、ＮＨＲ14、ＮＲ14Ｒ15、Ｏ−Ｃ（＝Ｏ）−Ｒ16、ＮＨ−Ｃ（＝Ｏ）−Ｒ16又はＮＲ14−Ｃ（＝Ｏ）−Ｒ16であり、
又は、Ｒ11及びＲ12は、共に、中断されていないか、又は−Ｏ−及び／又は−ＮＲ17−によって１回もしくは２回中断されているＣ2〜Ｃ20ＡLKイレンであり、従って、Ｒ11及びＲ12が結合されているＣ原子と共に有利には５−又は６−員環を形成し、そのＣ2〜Ｃ20ＡLKイレンは場合によりベンゾ又はナフトと縮合されていてよく、かつそのＣ2〜Ｃ20ＡLKイレンは、さらに、非置換、又は１もしくは２の、同一もしくは異なる基−ＯＨ又は−Ｏ−Ｃ（＝Ｏ）−Ｒ13で置換されており、
Ｒ13は、Ｈ、Ｒ18、ＯＲ18、ＮＲ18Ｒ19、ＣＯＯＲ20、Ｒ21−ＣＯＯＲ20又はＲ22（−ＣＯＯＲ20）−ＣＯＯＲ23であり、
Ｒ14及びＲ15は、それぞれ他から独立して、Ｃ1〜Ｃ6ＡLKイル、Ｃ7〜Ｃ12アルＡLKイル又はＣ6〜Ｃ10アリールであり、
又は、Ｒ14及びＲ15は、共に、中断されていないか、又は−Ｏ−及び／又は−ＮＲ17−によって１回もしくは２回中断されているＣ2〜Ｃ6ＡLKイレンであり、従って、Ｒ14及びＲ15が結合しているＮ原子と共に有利には５−又は６−員環を形成し、
Ｒ16は、Ｈ、Ｒ18、ＯＲ18、ＮＲ18Ｒ19、ＣＯＯＲ20、Ｒ21−ＣＯＯＲ20又はＲ22（−ＣＯＯＲ20）−ＣＯＯＲ23であり、
Ｒ17はＨ又はＣ1〜Ｃ6ＡLKイルであり、
Ｒ18及びＲ19は、それぞれ他から独立して、Ｃ1〜Ｃ36ＡLKイル、Ｃ2〜Ｃ54ＡLKエニル、Ｃ2〜Ｃ24ＡLKイニル、Ｃ6〜Ｃ10アリール、Ｃ7〜Ｃ46アルＡLKイル又はＣ2〜Ｃ36ＡLKエニレン−Ｃ6〜Ｃ10アリールであり、
又は、Ｒ18及びＲ19は、共に、中断されていないか、又は−Ｏ−及び／又は−ＮＲ17−によって１回もしくは２回中断されているＣ2〜Ｃ36ＡLKイレン又はＣ2〜Ｃ54ＡLKエニレンであり、従って、Ｒ18及びＲ19が結合しているＮ原子と共に有利には５−又は６−員環を形成し、
Ｒ21は、Ｃ1〜Ｃ12ＡLKイレン、Ｃ2〜Ｃ12ＡLKエニレン、Ｃ2〜Ｃ12ＡLKイニレン、Ｃ6〜Ｃ10アリーレン、Ｃ7〜Ｃ18アルＡLKイレン又はＣ2〜Ｃ18ＡLKエニレン−Ｃ6〜Ｃ10アリーレンであり、
Ｒ22は、Ｃ1〜Ｃ12ＡLKアントリイル、Ｃ2〜Ｃ12ＡLKエントリイル、Ｃ3〜Ｃ12ＡLKイントリイル、ベンゾトリイル、ナフトトリイル、Ｃ7〜Ｃ18ベンゾＡLKアントリイル、Ｃ11〜Ｃ22ナフトＡLKアントリイル、Ｃ2〜Ｃ12ＡLKアントリイル−Ｃ6〜Ｃ10アリーレン、Ｃ2〜Ｃ12ＡLKエニレン−ベンゾトリイル、Ｃ2〜Ｃ12ＡLKエニレン−ナフトトリイル又はＣ2〜Ｃ12ＡLKエントリイル−Ｃ6〜Ｃ10アリーレンであり、
それぞれＲ20又はＲ23は、あらゆる他のＲ1、Ｒ2、Ｒ3、Ｒ4、Ｒ5、Ｒ6、Ｒ7、Ｒ11、Ｒ18、Ｒ19、Ｒ20又はＲ23から独立して、Ｈ、Ｒ18、ＯＲ18、ＮＲ18Ｒ19、ＣＯＯＲ20、Ｒ21−ＣＯＯＲ20、Ｒ22（−ＣＯＯＲ20）−ＣＯＯＲ23又は
【化３】
2012522085.tif 000010
であり、
ＡLKは、直鎖の炭化水素基又は１回もしくは複数回枝分かれした炭化水素基、及び／又は単環式炭化水素基もしくはスピロ基を含む多環式炭化水素基であり、その炭化水素基において、１つ以上の−ＣＨ2−基は、−Ｓ−又は−ＮＨ−によって置き換えられてよく、１つ以上の
【化４】
2012522085.tif 000011
基は、
【化５】
2012522085.tif 000012
によって置き換えられてよく、かつ／又は１つ以上の隣接していない−ＣＨ2−基は−Ｏ−によって置き換えられてよく、
Ｒ1、Ｒ2、Ｒ3、Ｒ4、Ｒ5、Ｒ6、Ｒ7、Ｒ8、Ｒ9、Ｒ10、Ｒ11、Ｒ14、Ｒ15、Ｒ17、Ｒ18、Ｒ19、Ｒ21及びＲ22におけるそれぞれの炭化水素基ＡLKは、全て他から独立して、非置換又はＢｒ、Ｃｌ、Ｆ、Ｉ、ＮＯ2、ＯＲ24、ＳＲ24、ＳＣＮ、ＣＮ、Ｎ（Ｒ24）Ｒ25、Ｎ（Ｒ24）−Ｃ（＝Ｏ）−Ｒ25、Ｎ（Ｒ24）−ＣＯＯＲ25、Ｎ（ＣＯＲ24）ＣＯＲ25、ＣＯＯＲ24、
【化６】
2012522085.tif 000013
ＣＯＲ24、Ｏ−Ｃ（＝Ｏ）Ｒ24、Ｃ（＝Ｏ）ＮＲ24Ｒ25、Ｏ−Ｃ（＝Ｏ）ＮＲ24Ｒ25、ＳＯ3Ｈ、
【化７】
2012522085.tif 000014
ＳＯ2ＮＲ24Ｒ25、Ｓ（＝Ｏ）Ｒ24、ＳＯ2Ｒ24及びＰ（＝Ｏ）（ＯＲ24）ＯＲ25からなる群から選択される１つ以上の同一又は異なる置換基によって置換されており、
Ｒ24及びＲ25は、それぞれあらゆる他から独立して、Ｈ、Ｃ1〜Ｃ18アルキル、Ｃ7〜Ｃ18アラルキル、Ｃ6〜Ｃ24アリール又はＣ1〜Ｃ24ヘテロアリールであり、
又は、Ｒ24及びＲ25は、それぞれあらゆる他から独立して、Ｈ、Ｃ1〜Ｃ18アルキル、Ｃ7〜Ｃ18アラルキル、Ｃ6〜Ｃ24アリール又はＣ1〜Ｃ24ヘテロアリールであり、かつＲ24及びＲ25は、さらに、直接結合によって共に結合され、又はＯ、Ｓ、ＮＨ、Ｎ−Ｃ1〜Ｃ18アルキル、Ｎ−Ｃ7〜Ｃ18アラルキル、Ｎ−Ｃ6〜Ｃ24アリール又はＮ−Ｃ1〜Ｃ24ヘテロアリール架橋を介して架橋され、
Ｍm+は、有機又は無機カチオンであり、
ｍは、１、２、３又は４であり、かつｎは１、２、３又は４、有利には１又は２である］である。